(57)【要約】【課題】記録媒体に対して光を照射するための光ヘッド、該光ヘッドを含むアーム機構、および該アーム機構を含む情報記録装置の薄型化を図る。【解決手段】記録媒体に対して光を照射するための光ヘッドであって、記録媒体に対向するための下面を有し、且つ記録媒体に対して離隔しつつ相対的な移動を行うためのヘッド本体部、および該ヘッド本体部の側面に取り付けられ、光導入部を保持するための保持部と、該光導入部からの射出光を偏向するための偏向部とを有する光学素子、を備える。【選択図】図４
2009259312.tif 000002
【特許請求の範囲】
【請求項１】
記録媒体に対して光を照射するための光ヘッドであって、
前記記録媒体に対向するための下面を有し、且つ前記記録媒体に対して離隔しつつ相対的な移動を行うためのヘッド本体部と、
前記ヘッド本体部の側面に取り付けられ、光導入部を保持するための保持部と、該光導入部からの射出光を偏向するための偏向部とを有する光学素子と、
を備えることを特徴とする光ヘッド。
【請求項２】
請求項１に記載の光ヘッドであって、
前記偏向部が、
プリズムを含むことを特徴とする光ヘッド。
【請求項３】
請求項１に記載の光ヘッドであって、
前記偏向部が、
前記射出光を反射するための反射鏡を含むことを特徴とする光ヘッド。
【請求項４】
請求項１から請求項３の何れかに記載の光ヘッドであって、
前記ヘッド本体部が、
前記偏向部で偏向された射出光を前記下面側まで導く光導波路、
を有することを特徴とする光ヘッド。
【請求項５】
請求項１から請求項４の何れかに記載の光ヘッドであって、
前記ヘッド本体部のうちの前記光学素子が取り付けられている側面とは反対側の側面に取り付けられ、前記光学素子と形状ならびに重量が略一致するダミー部材、
を更に備えることを特徴とする光ヘッド。
【請求項６】
請求項１から請求項５の何れかに記載の光ヘッドと、
前記光ヘッドを保持するアーム部と、
を備えることを特徴とするアーム機構。
【請求項７】
請求項６に記載のアーム機構と、
前記下面に対向して配置される記録媒体と、
を備え、
前記光ヘッドが、
前記記録媒体に対して光を照射することで該記録媒体に対して情報の記録を行うことを特徴とする情報記録装置。
【発明の詳細な説明】
【技術分野】
【０００１】
本発明は、光を用いて情報を記録するための技術に関し、例えば、光ヘッド、その光ヘッドを備えたアーム機構、およびそのアーム機構を有する情報記録装置に関する。
【背景技術】
【０００２】
近年、パソコンやテレビなどにおいて大量の静止画像や動画の情報を記録および再生したいといった市場の要求に対して、大容量のハードディスクなどといった情報記録装置を搭載したパソコンやテレビなどが登場してきている。このような情報記録装置では、大容量化および薄型化をはじめとする小型化が常に要求され、光の回折限界を超えた近接場光によって記録媒体に対して微小な光スポットを形成して、高密度に情報を記録する技術が種々提案されている（例えば、特許文献１〜３など）。
【０００３】
例えば、特許文献１では、光ファイバの端部からの射出光をヘッドスライダの上面よりも上方に飛び出る形で設けられたプリズムによって偏向し、ヘッドスライダの下面に配置された近接場光を発生させる構造体まで光を導く構成が提案されている。また、特許文献２では、光ファイバーの端部からの射出光をスライダの上方に設けられたミラーで偏向して、マイクロレンズを介して、スライダの下部に設けられた近視野光発生微小構造まで光を導く構成が提案されている。また、特許文献３では、光ファイバーを固定し且つ該光ファイバーからの射出光を偏向するミラー基板がスライダに相当する近接場光基板上に配置され、ミラー基板で偏向された光が近接場光基板に入射されて近接場光を発生させる構成が提案されている。
【０００４】
【特許文献１】特開２００２−２９８３０２号公報
【特許文献２】特開２００３−６９１３号公報
【特許文献３】特開２００７−１０９２６９号公報
【発明の開示】
【発明が解決しようとする課題】
【０００５】
しかしながら、特許文献１〜３の技術では、スライダの浮上方向すなわちスライダの上面側に、光ファイバーの端部からの射出光を偏向する光学系が配置されている。このため、記録媒体に対して光を照射するための光ヘッドの薄型化、および光ヘッドを搭載する情報記録装置の薄型化を十分図ることができない。
【０００６】
本発明は、上記課題に鑑みてなされたものであり、記録媒体に対して光を照射するための光ヘッド、該光ヘッドを含むアーム機構、および該アーム機構を含む情報記録装置の薄型化を図ることを目的とする。
【課題を解決するための手段】
【０００７】
上記の課題を解決するために、請求項１の発明は、記録媒体に対して光を照射するための光ヘッドであって、前記記録媒体に対向するための下面を有し、且つ前記記録媒体に対して離隔しつつ相対的な移動を行うためのヘッド本体部と、前記ヘッド本体部の側面に取り付けられ、光導入部を保持するための保持部と、該光導入部からの射出光を偏向するための偏向部とを有する光学素子と、を備えることを特徴とする。
【０００８】
また、請求項２の発明は、請求項１に記載の光ヘッドであって、前記偏向部が、プリズムを含むことを特徴とする。
【０００９】
また、請求項３の発明は、請求項１に記載の光ヘッドであって、前記偏向部が、前記射出光を反射するための反射鏡を含むことを特徴とする。
【００１０】
また、請求項４の発明は、請求項１から請求項３の何れかに記載の光ヘッドであって、前記ヘッド本体部が、前記偏向部で偏向された射出光を前記下面側まで導く光導波路、
を有することを特徴とする。
【００１１】
また、請求項５の発明は、請求項１から請求項４の何れかに記載の光ヘッドであって、前記ヘッド本体部のうちの前記光学素子が取り付けられている側面とは反対側の側面に取り付けられ、前記光学素子と形状ならびに重量が略一致するダミー部材、を更に備えることを特徴とする。
【００１２】
また、請求項６の発明は、請求項１から請求項５の何れかに記載の光ヘッドと、前記光ヘッドを保持するアーム部と、を備えることを特徴とする。
【００１３】
また、請求項７の発明は、請求項６に記載のアーム機構と、前記下面に対向して配置される記録媒体と、を備え、前記光ヘッドが、前記記録媒体に対して光を照射することで該記録媒体に対して情報の記録を行うことを特徴とする。
【発明の効果】
【００１４】
請求項１から請求項７の何れに記載の発明によっても、光を偏向する光学素子が光ヘッドの側面側に配置されるため、該光学素子を光ヘッドの上面側に配置する場合と比較して、光ヘッドの薄型化を図ることができる。
【００１５】
また、請求項５に記載の発明によれば、光ヘッドのバランスを保つことが可能となる。
【発明を実施するための最良の形態】
【００１６】
以下、本発明の実施形態を図面に基づいて説明する。
【００１７】
＜第１実施形態＞
＜情報記録装置の概略構成＞
図１は、本発明の第１実施形態に係る情報記録装置１００の概略構成例を示す図である。図１および図１以降の図には、方位関係を明確化するためにＸＹＺの直交する３軸が適宜付されている。
【００１８】
図１で示すように、情報記録装置１００は、光アシスト式の磁気記録用ヘッド、すなわち光ヘッドに相当する第１〜５スライダ部３１〜３５を搭載した磁気記録装置（光アシスト式磁気記録装置）として構成され、例えば、ハードディスク装置などに適用される。この情報記録装置１００は、略直方体状の筐体１と、該筐体１内に配置された第１〜３記録用ディスク（磁気記録媒体）２ａ，２ｂ，２ｃおよびアーム機構１０とを備える。
【００１９】
第１〜３記録用ディスク２ａ，２ｂ，２ｃは、円盤状の記録媒体であり、相互に所定の微小距離（例えば、１ｍｍ以下）だけ離隔されて盤面が略平行となるように配置される。具体的には、上方から（＋Ｚ方向から−Ｚ方向に沿って）第１記録用ディスク２ａ、第２記録用ディスク２ｂ、および第３記録用ディスク２ｃがこの順番で空間順次に配置され、筐体１に対して所定の回転軸およびモータによって回転可能に支持されている。
【００２０】
アーム機構１０は、主に第１〜５スライダ部３１〜３５と、第１〜３アーム部４１〜４３と、回転軸５とを備える。
【００２１】
第１〜３アーム部４１〜４３は、それぞれ同様な形状を有するとともに、それぞれ薄板状で且つ細長い形状を有し、相互に略平行に配置されている。具体的には、上方から（＋Ｚ側から−Ｚ側に向けて）第１アーム部４１、第２アーム部４２、および第３アーム部４３がこの順番で空間順次に配置されている。また、第１〜３アーム部４１〜４３は、一端側（ここでは、−Ｘ方向の端部）で回転軸５によって相互に連結されるとともに、該回転軸５を支点として、矢印ｍＡ方向（トラッキング方向）に筐体１に対して回転可能に支持されている。ここでは、アクチュエータ６による回転軸５の回転により、第１〜３アーム部４１〜４３が、回転軸５を支点として矢印ｍＡ方向に回転する。
【００２２】
そして、第１アーム部４１と第２アーム部４２とが、第１記録用ディスク２ａを挟むように配置され、第２アーム部４２と第３アーム部４３とが、第２記録用ディスク２ｂを挟むように配置されている。別の観点から言えば、第２アーム部４２が、第１記録用ディスク２ａと第２記録用ディスク２ｂとによって挟まれるように配置され、第３アーム部４３が、第２記録用ディスク２ｂと第３記録用ディスク２ｃとによって挟まれるように配置されている。
【００２３】
第１〜５スライダ部３１〜３５は、それぞれ同様な構成を有するとともに、記録用ディスク２ａ，２ｂ，２ｃに対して光を照射するための光ヘッドとして機能する。
【００２４】
そして、第１スライダ部３１が、第１アーム部４１のうちの回転軸５が連結されている一端側とは異なる他端側の下面に対して、第１記録用ディスク２ａの一方主面（ここでは上面）に対向するように設けられ、第２スライダ部３２が、第２アーム部４２のうちの回転軸５が連結されている一端側とは異なる他端側の上面に対して、第１記録用ディスク２ａの他方主面（ここでは下面）に対向するように設けられる。また、第３スライダ部３３が、第２アーム部４２のうちの回転軸５が連結されている一端側とは異なる他端側の下面に対して、第２記録用ディスク２ｂの一方主面（ここでは上面）に対向するように設けられ、第４スライダ部３４が、第３アーム部４３のうちの回転軸５が連結されている一端側とは異なる他端側の上面に対して、第２記録用ディスク２ｂの他方主面（ここでは下面）に対向するように設けられる。更に、第５スライダ部３５が、第３アーム部４３のうちの回転軸５が連結されている一端側とは異なる他端側の下面に対して、第３記録用ディスク２ｃの一方主面（ここでは上面）に対向するように設けられる。このように、第１〜５スライダ部３１〜３５は、第１〜３アーム部４１〜４３によって保持されている。
【００２５】
また、各スライダ部３１〜３５のうち、各記録用ディスク２ａ〜２ｃに対向する面（スライダ下面）の形状は、いわゆる浮上面形状(ＡＢＳ:Air Bearing Surface)となっている。なお、ここでは、第１〜３記録用ディスク２ａ〜２ｃを矢印ｍＢ方向に回転させるモータ（不図示）が筐体１内に設けられている。そして、第１〜３記録用ディスク２ａ〜２ｃが回転する際に、第１〜５スライダ３１〜３５が、第１〜３記録用ディスク２ａ，２ｂ，２ｃ上において該第１〜３記録用ディスク２ａ，２ｂ，２ｃから略一定距離だけ浮上しながら相対的に移動し得るように構成されている。
【００２６】
図２は、第１〜５スライダ部３１〜３５の情報記録に係る主要な機能を実現するための構成を例示する断面図である。図２で示すように、第１〜５スライダ部３１〜３５は、光ヘッドの本体部（ヘッド本体部）に相当するスライダ本体部５０を備えて構成されている。そして、スライダ本体部５０は、例えば、セラミックス製の基板によって構成され、スライダ本体部５０の内部には、第１〜３記録用ディスク２ａ〜２ｃの被記録部分の流入側から流出側にかけて順に（矢印ｍＣ）、光アシスト部５１、磁気記録部５２、および磁気再生部５３が形成されている。
【００２７】
光アシスト部５１は、主に、光導波路を有して構成され、該光導波路は、スライダ本体部５０の側面から下面にかけて形成されている。そして、光導波路のうちの光を出射するための端部（出射端）には、例えば、矩形状の微小な開口が形成された金属膜が配置されている。このため、光導波路のうちの出射端とは逆側の端部（入射端）から入射された光が、スライダ本体部５０の側面側から下面側まで導かれる。なお、光導波路は、出射端に対して集光するためのテーパー部を有することが好ましい。そして、光導波路の出射端において近接場光が発生され、記録用ディスク２ａ〜２ｃに対して光スポットが形成されることで、第１〜３記録用ディスク２ａ〜２ｃの被記録部分が光スポットによって加熱される。光アシスト部５１の配置については更に後述する。
【００２８】
また、磁気記録部５２は、第１〜３記録用ディスク２ａ〜２ｃの被記録部分に対して磁気情報の書き込みを行う磁気記録素子によって形成されている。そして、各スライダ部３１〜３５が、各記録用ディスク２ａ〜２ｃに対して、光アシスト部５１によって光を照射しつつ、磁気記録部５２によって情報の記録を行う。  なお、図１および図２では図示を省略しているが、各第１〜５スライダ部３１〜３５に対して、光線を供給する光源部Ｐ１〜Ｐ５（図３）が配置されている。該光源部Ｐ１〜Ｐ５は、例えば、アーム部４１〜４３に対して適宜取り付けられ、半導体レーザーチップなどによって構成される。
【００２９】
また、磁気再生部５３は、第１〜３記録用ディスク２ａ〜２ｃに記録されている磁気情報の読み取りを行う磁気再生素子によって形成されている。
【００３０】
図２では図示を省略しているが、第１〜５スライダ部３１〜３５は、それぞれスライダ本体部５０に対して、光学素子６０（図４参照）が取り付けられて構成されている。この光学素子６０の構成ならびに配置については後述する。
【００３１】
＜アーム機構の構成＞
図３は、本発明の第１実施形態に係るアーム機構１０の構成例を示す模式図である。図３は、アーム機構１０およびその周辺の構成を上方（＋Ｚ方向）から見た模式図であり、図３では、光源部Ｐ１〜Ｐ５、第１〜５光導入部Ｆ１〜Ｆ５、および第１〜５スライダ部３１〜３５の第１アーム部４１に対する配置関係が破線で模式的に示されている。なお、各光導入部Ｆ１〜Ｆ５は、例えば、光ファイバーによって形成され、各光源部Ｐ１〜Ｐ５から射出される光を各スライダ部３１〜３５まで導くものである。
【００３２】
第１アーム部４１は、アーム本体部４１ａとサスペンション部４１ｂとを備えて構成されている。アーム本体部４１ａは、サスペンション部４１ｂと比較して、厚みが厚く且つ剛性が高い素材で構成され、サスペンション部４１ｂは、可撓性を有する材料で構成されており、アーム本体部４１ａとサスペンション部４１ｂの延設方向は略同一である。そして、アーム本体部４１ａの一端（−Ｘ側の端部）が回転軸５に固設され、アーム本体部４１ａの他端（＋Ｘ側の端部）の下面（−Ｚ側の面）にサスペンション部４１ｂの一端の上面（＋Ｚ側の面）が連結されている。
【００３３】
そして、第１スライダ部３１は、サスペンション部４１ｂのうちのアーム本体部４１ａに対して連結されている一端とは逆の他端近傍の下面に対して所定のバネ部材を介して取り付けられている。更に、アーム本体部４１ａの回転軸５に固設されている一端（−Ｘ側の端部）近傍の下面（−Ｚ側の面）に第１光源部Ｐ１が配置され、該第１光源部Ｐ１から射出される光が第１光導入部Ｆ１によって第１スライダ部３１に供給される。
【００３４】
なお、このように配置された第１光源部Ｐ１、第１光導入部Ｆ１、および第１スライダ部３１と同様な構成が、他の第２アーム部４２および第３アーム部４３に対しても配置されている。
【００３５】
具体的には、第２アーム部４２は、アーム本体部４２ａ、上部サスペンション部４２ｂ、および下部サスペンション部４２ｃを備え、アーム本体部４２ａ、上部サスペンション部４２ｂ、および下部サスペンション部４２ｃの延設方向は略同一である。そして、アーム本体部４２ａの一端（−Ｘ側の端部）が回転軸５に固設され、アーム本体部４２ａの他端（＋Ｘ側の端部）の上面（＋Ｚ側の面）に上部サスペンション部４２ｂの一端の下面（−Ｚ側の面）が連結され、アーム本体部４２ａの他端（＋Ｘ側の端部）の下面（−Ｚ側の面）に下部サスペンション部４２ｃの一端の上面（＋Ｚ側の面）が連結されている。
【００３６】
ここで、第２スライダ部３２は、上部サスペンション部４２ｂのうちのアーム本体部４２ａに対して連結されている一端とは逆の他端近傍の上面に対して所定のバネ部材を介して取り付けられている。そして、アーム本体部４２ａの回転軸５に固設されている一端（−Ｘ側の端部）近傍の上面（＋Ｚ側の面）に第２光源部Ｐ２が配置され、該第２光源部Ｐ２から射出される光が第２光導入部Ｆ２によって第２スライダ部３２に供給される。更に、第３スライダ部３３は、下部サスペンション部４２ｃのうちのアーム本体部４２ａに対して連結されている一端とは逆の他端近傍の下面に対して所定のバネ部材を介して取り付けられている。そして、アーム本体部４２ａの回転軸５に固設されている一端（−Ｘ側の端部）近傍の下面（−Ｚ側の面）に第３光源部Ｐ３が配置され、該第３光源部Ｐ３から射出される光が第３光導入部Ｆ３によって第３スライダ部３３に供給される。
【００３７】
また、第３アーム部４３は、アーム本体部４３ａ、上部サスペンション部４３ｂ、および下部サスペンション部４３ｃを備え、アーム本体部４３ａ、上部サスペンション部４３ｂ、および下部サスペンション部４３ｃの延設方向は略同一である。そして、アーム本体部４３ａの一端（−Ｘ側の端部）が回転軸５に固設され、アーム本体部４３ａの他端（＋Ｘ側の端部）の上面（＋Ｚ側の面）に上部サスペンション部４３ｂの一端の下面（−Ｚ側の面）が連結され、アーム本体部４３ａの他端（＋Ｘ側の端部）の下面（−Ｚ側の面）に下部サスペンション部４３ｃの一端の上面（＋Ｚ側の面）が連結されている。
【００３８】
ここで、第４スライダ部３４は、上部サスペンション部４３ｂのうちのアーム本体部４３ａに対して連結されている一端とは逆の他端近傍の上面に対して所定のバネ部材を介して取り付けられている。そして、アーム本体部４３ａの回転軸５に固設されている一端（−Ｘ側の端部）近傍の上面（＋Ｚ側の面）に第４光源部Ｐ４が配置され、該第４光源部Ｐ４から射出される光が第４光導入部Ｆ４によって第４スライダ部３４に供給される。更に、第５スライダ部３５は、下部サスペンション部４３ｃのうちのアーム本体部４３ａに対して連結されている一端とは逆の他端近傍の下面に対して所定のバネ部材を介して取り付けられている。そして、アーム本体部４３ａの回転軸５に固設されている一端（−Ｘ側の端部）近傍の下面（−Ｚ側の面）に第５光源部Ｐ５が配置され、該第５光源部Ｐ５から射出される光が第５光導入部Ｆ５によって第５スライダ部３５に供給される。
【００３９】
＜スライダ部＞
ここで、各スライダ部３１〜３５における光学素子６０の構成および配置ならびに光アシスト部５１の配置、すなわち各スライダ部３１〜３５の詳細な構成について説明する。但し、第１〜５スライダ部３１〜３５の構成は同様であるため、ここでは、第１スライダ部３１を例にとって説明する。
【００４０】
図４は、第１スライダ部３１の詳細な構成例を示す図である。なお、図４(ａ)は、第１スライダ部３１およびその周辺を側方（＋Ｙ側）から見た側面図であり、図４(ｂ)は、第１スライダ部３１およびその周辺を上方（＋Ｚ側）から見た上面図であり、図４(ｃ)は、第１スライダ部３１およびその周辺を側方（＋Ｘ側）から見た側面図である。なお、図４では、第１光導入部Ｆ１から射出される光束の外縁が一点鎖線で示され、光アシスト部５１の配設領域が斜線ハッチングが付されて示されるとともに、その外縁が破線で示されている。また、図５は、光学素子６０の構成に着目した斜視図である。
【００４１】
図４で示すように、第１スライダ部３１は、スライダ本体部５０と、光学素子６０とを備えて構成される。
【００４２】
スライダ本体部５０は、記録用ディスク２ａに対向する下面（−Ｚ側の面、すなわちスライダ下面）と、該スライダ下面とは反対側の上面（＋Ｚ側の面）と、側面（±Ｘ側の面および±Ｙ側の面）とによって外面が形成されている。そして、スライダ本体部５０の側面のうち、第１アーム部４１の延設方向（Ｘ軸方向）に対して略平行な一方の側面に対して、光学素子６０が取り付けられている。
【００４３】
光学素子６０は、主に第１アーム部４１の延設方向（Ｘ軸方向）に延設される略直方体状の光学素子本体部６１と、該光学素子本体部６１の＋Ｘ側に設けられる内面反射プリズム部６２とを備えて構成される。そして、光学素子本体部６１のスライダ本体部５０側にはＶ字状の溝部６１ｖが設けられ、該溝部６１ｖは、Ｘ軸に沿って延設され、略正三角形の断面を有している。
【００４４】
溝部６１ｖには、−Ｘ側から＋Ｘ側に向けて、レンズ部Ｌｎ１，Ｌｎ２がこの順番で設けられ、更に、レンズ部Ｌｎ１の−Ｘ側には光導入部Ｆ１の＋Ｘ側の端面が固設される。従って、溝部６１ｖが、レンズ部Ｌｎ１を介して光導入部Ｆ１を保持する保持部として機能する。
【００４５】
内面反射プリズム部６２は、ＸＹ平面に対して略垂直で且つＸ軸に対して約４５度傾いた内面６２ａを有する。そして、光導入部Ｆ１から射出された光（射出光）は、レンズ部Ｌｎ１，Ｌｎ２を介して、光束の断面が収束していく光（収束光）とされ、該収束光が内面６２ａで反射されることで、光の進行方向が約９０度変更されて、光アシスト部５１の一端に入射される。ここでは、内面反射プリズム部６２が、光導入部Ｆ１からの射出光を偏向するための偏向部として機能する。
【００４６】
光アシスト部５１は、スライダ本体部５０の＋Ｙ側の側面から該スライダ本体部５０の−Ｚ側のスライダ下面までスライダ本体部５０を貫通するように延設されている。そして、内面６２aで偏向された光が、光アシスト部５１の一方（＋Ｙ側）の端部（入射端）に照射されると、光アシスト部５１を構成する導波路が、内面反射プリズム部６２で偏向された光をスライダ下面側まで導く。このとき、光アシスト部５１（具体的には、光導波路）の他方（−Ｚ側）の端部（出射端）において近接場光が発生され、記録用ディスク２ａに対して光スポットが形成される。
【００４７】
以上のように、第１実施形態に係る情報記録装置１００では、光源部Ｐ１〜Ｐ５から出射される光を偏向する光学素子６０が、各スライダ部３１〜３５の側面側に配置される。このため、光を偏向するための光学素子をスライダ部の上面に配置していた従来技術と比較して、スライダ部（つまり、光ヘッド）の薄型化、ひいては、情報記録装置の薄型化を図ることができる。したがって、多数枚の記録用ディスクを用いた記憶容量の増大と情報記録装置全体の薄型化との両立を容易に図ることができる。
【００４８】
なお、各スライダ部３１〜３５を各サスペンション部４１ｂ，４２ｂ，４２ｃ，４３ｂ，４３ｃに取り付ける際に、光学素子６０を各サスペンション部４１ｂ，４２ｂ，４２ｃ，４３ｂ，４３ｃに取り付ける必要性がない。このため、特別な手法によらず、従来の取付手法を用いて、スライダ部３１〜３５を各サスペンション部４１ｂ，４２ｂ，４２ｃ，４３ｂ，４３ｃに対し、例えば、１点において所定のバネ部材などによって取り付けることができる。
【００４９】
＜第２実施形態＞
上記第１実施形態に係る情報記録装置１００では、内面反射プリズム部６２を備えた光学素子６０を用いたが、第２実施形態に係る情報記録装置１００Ａでは、反射面６２ｂを備えた光学素子６０Ａを用いている。具体的には、第２実施形態に係る情報記録装置１００Ａは、第１実施形態に係る情報記録装置１００と比較して、光学素子６０が形状が異なる光学素子６０Ａに変更されることで、スライダ部３１〜３５がスライダ部３１Ａ〜３５Ａに変更されるとともに、光アシスト部５１が配置ならびに形状が異なる光アシスト部５１Ａに変更されることで、スライダ本体部５０がスライダ本体部５０Ａに変更されたものとなっている。また、これらの変更に伴い、アーム機構１０がアーム機構１０Ａに変更されたものとなっている。
【００５０】
以下、本発明の第２実施形態に係る情報記録装置１００Ａについて、第１実施形態に係る情報記録装置１００と同様な部分については同じ符号を付して説明を省略しつつ、主に、異なる点について説明する。具体的には、各スライダ部３１Ａ〜３５Ａにおける光学素子６０Ａの構成および配置ならびに光アシスト部５１Ａの配置、すなわち各スライダ部３１Ａ〜３５Ａの詳細な構成について説明する。但し、第１〜５スライダ部３１Ａ〜３５Ａの構成は同様であるため、ここでは、第１スライダ部３１Ａを例にとって説明する。
【００５１】
図６は、第１スライダ部３１Ａの詳細な構成例を示す図である。なお、図６(ａ)は、第１スライダ部３１Ａおよびその周辺を側方（＋Ｙ側）から見た側面図であり、図６(ｂ)は、第１スライダ部３１Ａおよびその周辺を上方（＋Ｚ側）から見た上面図であり、図６(ｃ)は、第１スライダ部３１Ａおよびその周辺を側方（＋Ｘ側）から見た側面図である。なお、図６では、第１光導入部Ｆ１から射出される光束の外縁が一点鎖線で示され、光アシスト部５１Ａの配設領域が斜線ハッチングが付されて示されるとともに、その外縁が破線で示されている。また、図７は、光学素子６０Ａの構成に着目した斜視図である。
【００５２】
図６で示すように、第１スライダ部３１Ａは、上記第１実施形態に係る第１スライダ部３１と同様に、スライダ本体部５０Ａと、光学素子６０Ａとを備えて構成される。
【００５３】
スライダ本体部５０Ａは、上記第１実施形態に係るスライダ本体部５０と同様に、記録用ディスク２ａに対向する下面（−Ｚ側の面、すなわちスライダ下面）と、該スライダ下面とは反対側の上面（＋Ｚ側の面）と、側面（±Ｘ側の面および±Ｙ側の面）とによって外面が形成されている。そして、スライダ本体部５０Ａの側面のうち、第１アーム部４１の延設方向（Ｘ軸方向）に対して略平行な一方の側面に対して、光学素子６０Ａが取り付けられている。
【００５４】
光学素子６０Ａは、主に第１アーム部４１の延設方向（Ｘ軸方向）に延設される略直方体状の光学素子本体部６１Ａと、該光学素子本体部６１Ａの＋Ｘ側に設けられる反射鏡部６２Ａとを備えて構成される。そして、光学素子本体部６１Ａのスライダ本体部５０Ａ側にはＶ字状の溝部６１Ａｖが設けられ、該溝部６１Ａｖは、Ｘ軸に沿って延設され、略正三角形の断面を有している。
【００５５】
溝部６１Ａｖには、−Ｘ側から＋Ｘ側に向けて、レンズ部Ｌｎ１，Ｌｎ２がこの順番で設けられ、更に、レンズ部Ｌｎ１の−Ｘ側には光導入部Ｆ１の＋Ｘ側の端面が固設される。従って、溝部６１Ａｖが、レンズ部Ｌｎ１を介して光導入部Ｆ１を保持する保持部として機能する。
【００５６】
反射鏡部６２Ａは、ＸＹ平面に対して略垂直で且つＸ軸に対して約４５度傾いた反射面（ミラー面）６２ｂを有する。なお、反射面６２ｂは、例えば、金属や誘電体多層膜などが被覆されて光を反射可能に構成される。そして、光導入部Ｆ１から射出された光（射出光）は、レンズ部Ｌｎ１，Ｌｎ２を介して、光束の断面が収束していく光（収束光）とされ、該収束光が反射面６２ｂで反射されることで、光の進行方向が約１００度変更されて、光アシスト部５１Ａの一端近傍に入射される。ここでは、反射鏡部６２Ａが、光導入部Ｆ１からの射出光を偏向するための偏向部として機能する。
【００５７】
光アシスト部５１Ａは、スライダ本体部５０Ａの回転軸５とは反対側の端面（＋Ｘ側の面）に設置され、＋Ｚ側から−Ｚ側に向けて延設されている。詳細には、光アシスト部５１Ａは、スライダ本体部５０Ａの＋Ｘ側の端面の略中央付近から、スライダ本体部５０Ａの下面（スライダ下面）近傍まで延設されている。そして、反射面６２ｂで偏向された光が、光アシスト部５１Ａの上端（＋Ｚ側の端部）近傍に所定の角度を成して斜め方向から照射されると、光アシスト部５１Ａを構成する導波路が、反射鏡部６２Ａで偏向された光をスライダ下面側（−Ｚ側）まで導く。このとき、光アシスト部５１Ａ（具体的には、光導波路）の−Ｚ側の端部（出射端）において近接場光が発生され、記録用ディスク２ａに対して光スポットが形成される。
【００５８】
以上のように、第２実施形態に係る情報記録装置１００Ａでは、光源部Ｐ１〜Ｐ５から出射される光を偏向する光学素子６０Ａが、各スライダ部３１Ａ〜３５Ａの側面側に配置される。このため、上記第１実施形態と同様に、光を偏向するための光学素子をスライダ部の上面に配置していた従来技術と比較して、スライダ部（つまり、光ヘッド）の薄型化、ひいては、情報記録装置の薄型化を図ることができる。したがって、多数枚の記録用ディスクを用いた記憶容量の増大と情報記録装置全体の薄型化との両立を容易に図ることができる。
【００５９】
また、上記第１実施形態と同様に、特別な手法によらず、従来の取付手法を用いて、スライダ部３１Ａ〜３５Ａを各サスペンション部４１ｂ，４２ｂ，４２ｃ，４３ｂ，４３ｃに対し、例えば、１点において所定のバネ部材などによって取り付けることができる。
【００６０】
＜変形例＞
本発明は上述の実施の形態に限定されるものではなく、本発明の要旨を逸脱しない範囲において種々の変更、改良等が可能である。
【００６１】
◎例えば、上記実施形態では、スライダ部３１〜３５，３１Ａ〜３５Ａが、スライダ本体部５０，５０Ａの一方の側面側に光学素子６０，６０Ａが取り付けられて構成されたが、これに限られない。例えば、図８で示すように、上記実施形態と同様に、スライダ本体部５０，５０Ａの一方の側面側（図８では＋Ｙ側）に光学素子６０，６０Ａが取り付けられるとともに、スライダ本体部５０，５０Ａの光学素子６０，６０Ａが取り付けられた側面とは反対側（図８では−Ｙ側）の側面（他方の側面）側に、光学素子６０，６０Ａと形状ならびに重量が略一致する部材（例えば、ダミー部材）６０Ｂが取り付けられても良い。
【００６２】
このような構成により、光ヘッドおよび情報記録装置の薄型化を阻害することなく、従来の取付手法を用いて、スライダ部３１〜３５，３１Ａ〜３５Ａを各サスペンション部４１ｂ，４２ｂ，４２ｃ，４３ｂ，４３ｃに対し、例えば、１点において所定のバネ部材などによって取り付けても、スライダ部３１〜３５，３１Ａ〜３５Ａのバランスを適正かつ容易に維持することができる。なお、ダミー部材については、何らかの特別な機能を持たせた素子（ダミー素子）としても良い。
【００６３】
ここで、仮に、光学素子６０，６０Ａもダミー部材６０Ｂも取り付けられていない場合には、スライダ部の構成がＸ軸に沿った面を中心として±Ｙ方向に略左右対称の構成を有していれば、各スライダ部の±Ｙ方向の略中央付近が各サスペンション部に対して取り付けられれば、各スライダ部が各サスペンション部にバランス良く取り付けられた状態となる。しかしながら、上記第１および第２実施形態に係るスライダ部３１〜３５，３１Ａ〜３５Ａのように、スライダ本体部５０，５０Ａの一方の側面に光学素子６０，６０Ａが取り付けられると、スライダ部３１〜３５，３１Ａ〜３５Ａの重心位置が各スライダ本体部５０，５０Ａの±Ｙ方向の略中央付近からずれ、各スライダ部３１〜３５，３１Ａ〜３５Ａを各サスペンション部４１ｂ，４２ｂ，４２ｃ，４３ｂ，４３ｃにバランス良く取り付けることが困難となる。
【００６４】
これに対して、スライダ本体部５０，５０Ａに対してダミー部材６０Ｂが取り付けられれば、スライダ部の±Ｙ方向における重心位置が、スライダ本体部５０，５０Ａの±Ｙ方向の略中央付近となり、各スライダ部を各サスペンション部に対してバランス良く取り付けることが容易に可能となる。
【００６５】
更に、ダミー部材６０Ｂの素材を光学素子６０，６０Ａと同様なものとすることで、スライダ本体部と光学素子とダミー部材とからなる一体的な構成において、温度変化に伴う応力分布なども、Ｘ軸に沿った面を中心として±Ｙ方向に略左右対称とすることができる。すなわち、温度変化が生じても、精度良く情報の記録を行うことが可能となる。
【００６６】
◎また、上記実施形態では、情報記録装置１００，１００Ａが、記録媒体に対して光で熱を付与しつつ、磁気で情報を記録および読み出す光アシスト式磁気記録装置として構成されたが、これに限られない。例えば、本発明を、磁気を用いることなく記録媒体に対する光の照射によって情報の記録および読み出しを行う情報記録装置など、光の照射を利用して情報の記録および読み出しを行う情報記録装置一般に適用しても良い。換言すれば、本発明を、光ヘッドが記録媒体に対して光を照射することで該記録媒体に対して情報の記録を行うことができる情報記録装置一般に適用しても良い。
【図面の簡単な説明】
【００６７】
【図１】本発明の実施形態に係る情報記録装置の概略構成例を示す図である。
【図２】スライダ部の機能を実現するための構成を例示する図である。
【図３】アーム機構の構成例を示す模式図である。
【図４】第１実施形態に係るスライダ部の詳細な構成例を示す図である。
【図５】第１実施形態に係る光学素子の構成を例示する斜視図である。
【図６】第２実施形態に係るスライダ部の詳細な構成例を示す図である。
【図７】第２実施形態に係る光学素子の構成を例示する斜視図である。
【図８】変形例に係るスライダ部の構成例を示す模式図である。
【符号の説明】
【００６８】
２ａ，２ｂ，２ｃ  記録用ディスク
１０，１０Ａ  アーム機構
３１〜３５，３１Ａ〜３５Ａ  スライダ部
４１〜４３  第１〜３アーム部
５０，５０Ａ  スライダ本体部
５１，５１Ａ  光アシスト部
６０，６０Ａ  光学素子
６０Ｂ  ダミー部材
６１，６１Ａ  光学素子本体部
６１ｖ，６１Ａｖ  溝部
６２  内面反射プリズム部
６２Ａ  反射鏡部
６２ａ  内面
６２ｂ  反射面
１００，１００Ａ  情報記録装置
【図１】
2009259312.tif 000003
【図２】
2009259312.tif 000004
【図３】
2009259312.tif 000005
【図４】
2009259312.tif 000006
【図５】
2009259312.tif 000007
【図６】
2009259312.tif 000008
【図７】
2009259312.tif 000009
【図８】
2009259312.tif 000010